(57)【要約】  信号の完全性と増幅、ビーム形成動作、及びパイロット制御及びオーバーヘッドチャネル制御動作を向上させることを目的として、アンテナアレイに適応可能な形で結合されるフィードバックキャンセルループを配備するために動作可能であり、従って各々のビンごとに信号を処理するために動作可能な選択されたフィルタバンクを備える選択されたメトリック（例えば、複合メトリック）のうちの１つ以上を展開することによって選択されたメトリックを導き出すことができ及び前記導き出されたメトリックを前記アンテナアレイとフィードバックキャンセルループの組み合わせに適用することができる中継器環境が提供される。例示的実装においては、典型的中継器環境は、送信機と、受信機と、フィルタバンクを備える等化フィードバックキャンセルループ回路と、を備え、前記キャンセループは、アンテナアレイに動作可能な形で結合される。前記例示的実装においては、前記フィードバックキャンセルループは、協力アンテナアレイからの入力として信号を受信することができ、フィードバック漏れ信号等の出力信号を協力アンテナアレイに提供することができる。【特許請求の範囲】
【請求項１】
無線通信ネットワークに関する中継器であって、フィードバックキャンセルを提供するために動作可能であり、
前記中継器によって用いられる重みに関する計算を行うように、及び適応アルゴリズム、ビーム形成、及びフィルタバンク手法のうちの１つ以上のメトリック実行から導き出される複合メトリックを生成するように構成されたメトリックモジュールと、
前記複合メトリックを計算する一部として信号をコンディショニングするために前記メトリックモジュールと協力する適応アンテナアレイと、を備える、中継器。
【請求項２】
信号分離及びパイロットチャネル及びオーバーヘッドチャネルのうちの１つ以上の品質の向上を可能にするための１つ以上の動作において用いるためのパイロット及びオーバーヘッドチャネル復調器をさらに備える請求項１に記載の中継器。
【請求項３】
前記フィルタバンク手法計算は、最小平均二乗誤差（ＭＭＳＥ）の計算を備える請求項１に記載の中継器。
【請求項４】
前記中継器への入力信号を時間領域から周波数領域に変換するために動作可能な１つ以上の高速フーリエ変換（ＦＦＴ）モジュールをさらに備える請求項１に記載の中継器。
【請求項５】
１つ以上の動作に従ってコンディショニングされたコンディショニングされた周波数領域信号を時間領域系列に変換するために動作可能な１つ以上のＦＦＴモジュールをさらに備える請求項４に記載の中継器。
【請求項６】
前記中継器は、時分割複信中継器であり、前記無線通信ネットワークは、ワイヤレス−フィデリティ（Ｗｉ−Ｆｉ）、及び全世界マイクロ波アクセス相互運用性（Ｗｉ−ｍａｘ）ネットワークのうちの１つである請求項１に記載の中継器。
【請求項７】
前記中継器は、周波数分割複信中継器であり、前記無線通信ネットワークは、セル方式のグローバル移動体通信システム（ＧＳＭ）、符号分割多元接続（ＣＤＭＡ）、及び第３世代（３Ｇ）ネットワークのうちの１つである請求項１に記載の中継器。
【請求項８】
前記受信及び／又は送信アンテナは、ダイポールアンテナ及びパッチアンテナのうちの１つ以上を備える請求項１に記載の中継器。
【請求項９】
前記計算モジュールは、前記メトリックモジュール計算を管理、制御、モニタリング、及び指示するためのデジタルロジックを備える請求項１に記載の中継器。
【請求項１０】
前記フィルタバンク計算は、最小平均二乗誤差（ＭＭＳＥ）アルゴリズム、最大信号対雑音比アルゴリズム、及び線形制限付最小分散アルゴリズムを備える線形代数アルゴリズムを実行することによって行われる請求項１に記載の中継器。  
【請求項１１】
デジタル中継器環境における信号の完全性を促進する方法であって、
利用可能な相関化メトリックを用いて代表的なパイロットエネルギー測定値を生成することと、
無相関化されたエネルギー値を測定することと、
前記残存漏れメトリックを計算することと、
前記中継器からの総送信電力を決定することと、
前記パイロットエネルギー測定値、無相関化されたエネルギー値、残存漏れメトリック、及び前記中継器の出力電力のうちの１つ以上の関数であるメトリックを計算して複合メトリックを生成することと、
最急降下適応アルゴリズムを適用して前記空間重み設定を修正して前記複合メトリックを最適化すること、とを備える、方法。
【請求項１２】
一組の時系列の１つ以上のキャンセル後受信周波数ビン、前記希望される搬送波信号周波数チャネルと関連づけられた時系列のキャンセル後受信信号を備える１つ以上の中継器値を用いてパイロットエネルギー測定値を生成することをさらに備える請求項１１に記載の方法。
【請求項１３】
一組の時系列の１つ以上のキャンセル後受信周波数ビンと、前記希望される搬送波信号周波数チャネルと関連づけられた時系列のキャンセル後受信信号と、協力無線通信チャネル値とを備える１つ以上の中継器値の相関関係として前記平均干渉を測定して平均干渉値を生成することをさらに備え、前記平均干渉値は、前記無線通信チャネルの前記無相関化されたエネルギーとして説明される請求項１２に記載の方法。
【請求項１４】
選択された数の送信機送信重み付き中継器信号を処理して前記送信された電力出力を決定することをさらに備える請求項１３に記載の方法。
【請求項１５】
アレイ信号の前記平均二乗平均を合計して前記電力出力値を生成することをさらに備える請求項１１に記載の方法。
【請求項１６】
請求項１１に記載の方法のステップを前記入力信号に対して繰り返すことをさらに備える請求項１１に記載の方法。
【請求項１７】
選択されたチャネル値と前記ピーク相関関係との間の不整合度を表す数字を選択することをさらに備える請求項１１に記載の方法。
【請求項１８】
コンピュータによって読み取り可能な媒体であって、
少なくとも次の動作、すなわち、
パイロットエネルギー測定値を生成すること、
無相関化されたエネルギー値を測定すること、
前記残存漏れメトリックを計算すること、
１つのアレイの信号の平均二乗平均の和を決定すること、
前記パイロットエネルギー測定値、無相関化されたエネルギー値、残存漏れメトリック、及び前記中継器の出力のうちの１つ以上の関数であるメトリックを計算して複合メトリックを生成すること、及び
最急降下適応アルゴリズムを適用して前記空間重み設定を修正して前記複合メトリックを最適化すること、を行うためのコンピュータによって実行可能な命令を格納している、コンピュータによって読み取り可能な媒体。
【請求項１９】
プロセッサであって、
少なくとも次の動作、すなわち、
利用可能相関化メトリックを用いて代表的なパイロットエネルギー測定値を生成すること、
無相関化されたエネルギー値を測定すること、
前記残存漏れメトリックを計算すること、
１つのアレイの信号の平均二乗平均の和を決定すること、
前記パイロットエネルギー測定値、無相関化されたエネルギー値、残存漏れメトリック、及び前記中継器の出力のうちの１つ以上の関数であるメトリックを計算して複合メトリックを生成すること、及び
最急降下適応アルゴリズムを適用して前記空間重み設定を修正して前記複合メトリックを最適化することを前記プロセッサに行わせるためのコンピュータによって実行可能な命令を格納しているメモリを備える、プロセッサ。
【請求項２０】
中継器環境におけるフィードバックループキャンセルを容易にするシステムであって、
送信機漏れ信号及び受信信号をＭの数の受信機において受信するための手段と、
Ｍの受信機からのＭのゼロが添付された受信ブロックに関してＦＦＴを行ってＭの組の周波数ビンを生成するための手段と、
Ｍの複素空間重みアレイを前記Ｍの数の組の周波数ビンにそれぞれ適用するための手段と、
前記重み付き周波数ビンを結合して複合信号にするための手段と、
キャンセル後受信周波数ビンを生成するための手段と、
Ｎの重み付き送信周波数ビンアレイにおいて逆ＦＦＴを適用してＮの時間領域系列を生成するための手段と、
Ｎの数の送信時間領域系列を送信するための手段と、
Ｎの数の中継器送信信号をＭの数の受信機において受信してＭの数の受信信号と合計されたＭの数の中継器送信漏れ信号を形成するための手段と、を備える、システム。
【請求項２１】
無線通信ネットワークに関する中継器であって、中継器信号品質の向上を提供するために動作可能であり、
メトリックモジュールによって提供される重みに関するフィルタバンク計算を行うための手段と、
信号キャンセル、分離、及び信号品質向上を提供するための１つ以上の動作において用いるための重みを生成するための手段と、を備え、
前記送信機及び／又は受信機信号のサンプルは、閉ループ計算の一部として格納され、前記入力信号は、フィルタバンク計算のために前記周波数領域に変換され、前記入力信号は、１つ以上の処理ビンにわたって狭帯域に分解される、中継器。
【請求項２２】
前記信号品質向上は、前記相関信号電力と前記無相関化された信号電力の比の向上である請求項２１に記載の方法。
【請求項２３】
前記信号品質向上は、前記希望される信号の前記受信信号強度の増大である請求項２１に記載の方法。
【請求項２４】
前記信号品質向上は、前記希望される信号の信号対雑音比の向上である請求項２１に記載の方法。
【発明の詳細な説明】
【技術分野】
【０００１】
優先権の主張
本特許出願は、“ADAPTIVE SAME FREQUENCY REPEATER TECHNIQUES”（適応同一周波数中継器技法）という題名を有し、参照されることによって全体がここに組み入れられている、米国仮特許出願一連番号６０／９０４，３６８（出願日：２００７年３月２日）に対する優先権を主張するものである。
【背景技術】
【０００２】
従来は、無線通信ネットワーク、例えば、時分割複信（ＴＤＤ）、周波数分割複信（ＦＤＤ）ワイヤレス−フィデリティ（Ｗｉ−Ｆｉ）、全世界マイクロ波アクセス相互運用性（Ｗｉ−ｍａｘ）、セル方式グローバル移動体通信システム（ＧＳＭ）、符号分割多元接続（ＣＤＭＡ）、３Ｇに基づく無線ネットワーク等、のカバレッジエリアは、中継器によって拡大することができる。典型的中継器は、例えば、開放型システム間相互接続基本参照モデル（ＯＳＩモデル）によって定義された物理層又はデータリンク層において動作する周波数変換中継器又は同一周波数中継器を含む。
【０００３】
物理層中継器は、“同一周波数”又は“周波数変換”デバイスに分類することができる。中継器がどこに配備されることになるかということに関連するネットワークアーキテクチャが、使用される中継器の型を大きく左右する。同一周波数中継器が用いられる場合は、中継器が同じ周波数において同時並行して受信及び送信することを要求する。従って、中継器は、様々なアンテナ及びデジタル／アナログキャンセル技法を用いて受信機と送信機との間の分離を達成させなければならない。周波数変換中継器が用いられる場合は、中継器は、第１の周波数チャネルにおいて信号を受信し、次に同時並行して送信するためにその信号を第２の周波数チャネルに変換する。この方法により、周波数分離を通じて送信機と受信機との間の分離がある程度達成される。好ましいことに、製造コストの低減、設置しやすさ、等を達成するために中継器回路に加えて受信及び送信用のアンテナも同じパッケージに含められる。これは、中継器を、形状要因及び設置しやすさが重要な考慮事項である住宅又は小さい事務所用のデバイスとして用いることが消費者によって意図されている場合に特に当てはまる。該デバイスにおいては、通常は１本のアンテナ又は一組のアンテナが基地局、アクセスポイント、ゲートウェイの方を向き、他のアンテナ又は他の一組のアンテナが加入者デバイスの方を向く。
【０００４】
同時並行して受信及び送信する中継器の場合は、受信アンテナと送信アンテナを分離することが、中継器の全体的性能における１つの重要要因であり、これは、同じ周波数に中継するか又は異なる周波数に中継するかにかかわらず当てはまる。より具体的には、受信機アンテナ及び送信機アンテナが適切に分離されていない場合は、中継器の性能が有意な量だけ低下する可能性がある。一般的には、中継器の発振又は初期感度低下を防止するために中継器の利得は分離よりも大きくすることはできない。分離は、一般的には、物理的分離、アンテナパターン、又は偏波によって達成される。周波数変換中継器の場合は、帯域通過フィルタリングを利用して追加の分離を達成することができるが、アンテナ分離は、一般的には、望ましくない雑音及び送信機からの帯域外放出が受信アンテナの帯域内周波数範囲内おいて受信されることに起因して中継器の性能における１つの制限要因になっている。受信機と送信機との間のアンテナ分離は、中継器が同じ周波数において動作中でありさらに帯域通過フィルタリングが追加の分離を提供しない場合はさらに重大な問題である。
【０００５】
セル方式のシステムは、利用可能な認可スペクトルが制限されており、周波数変換中継手法を利用することができず、従って同じ受信及び送信周波数チャネルを利用する中継器を用いることがしばしばある。
【０００６】
上述されるように、消費者とともに用いられることが意図される中継器の場合は、さらなるコスト低減、設置しやすさ、等を達成させるために物理的に小型の形状を有する中継器を製造するのが好ましい。しかしながら、小型形状は、アンテナが非常に近接して配置されそれによって上述される分離問題を悪化させる可能性がある。
【０００７】
現在の中継器は、自己の送信機からの漏れを中継したい信号から分離することができないという点でさらなる重要な欠点を有する。その結果、従来の中継器は、典型的には、システム分離及び性能をリアルタイムで最適化することができず、その結果動作不良になるか又は全体的ネットワーク性能に対して破壊的影響を及ぼすことになる。具体的には、現在の方法は、中継器が一般的に動作するのを可能にする一方で中継器環境における望ましくない信号の適応キャンセルを考慮してない。その代わりに、現在の中継器配備は、コスト及び複雑さに起因してキャンセルループが制限されており、個別の実装であり、一般的にはサブバンドフィルタリングのない単一帯域システムにおいて配備される。さらに、現在の干渉キャンセルループ配備は、マルチパス遅延を想定しており、散乱信号における過度の又は整合性のない遅延、信号における遅延変化（例えば、ドップラー）、及び広帯域信号（例えば、ＩＣ帯域幅）に関する制限されたキャンセルを被る。
【０００８】
上記により、既存の方法の欠点を克服するためのシステム及び方法の必要性が存在することが直ちに明確になる。
【発明の概要】
【０００９】
この概要は、以下の発明を実施するための形態においてさらに詳細に説明される一組の概念を簡略化された形で紹介することを目的として提供される。この概要は、請求される主題の重要な特徴又は不可欠な特徴を特定することは意図されておらず、さらに請求される主張の適用範囲を制限するために用いられることも意図されていない。
【００１０】
現在の方法は、キャンセル動作の一部として適応アンテナアレイに関する重み付け設定を最適化するための最適化プロセスの一部としてキャンセラモジュールを備えた及び（その他の利用可能な中継器／システムメトリックから導き出された）複合メトリックを有する適応アンテナアレイを用いることを考慮していない。キャンセラ、及び複合メトリックを有する適応アンテナアレイを用いることで、前記キャンセラモジュール内を“調べる”ことでアレイ重みを最適化することができ、及びキャンセルとアレイ重みの共最適化を可能にする。
【００１１】
ここにおいて説明されるシステム及び方法は、選択された複合メトリックを導き出すことができるような形で適応アンテナアレイを配備するために動作可能な中継器環境を提供し、前記中継器環境は、信号を各々のビンごとに処理するために動作可能な選択されたフィルタバンクを備え、前記導き出されたメトリックは、信号の完全性と増幅、ビーム形成動作、及びパイロット制御及びオーバーヘッドチャネル制御動作を向上させるために前記アンテナアレイとフィードバックキャンセルループの組み合わせに適用することができる。例示的実装においては、典型的中継器環境は、アンテナアレイに動作可能な形で結合された送信機と、受信機と、複合メトリックモジュールと、を備える。
【００１２】
例示的動作において、典型的中継器環境は、一組の時系列のキャンセル後受信周波数ビン、又は前記希望される搬送波信号周波数チャネルと関連づけられた時系列のキャンセル後受信信号が、最大相関関係が達成されてＥｃが生成されるようなＰＮ符号位相における関連づけられたパケットＰＮシーケンスとの相関化において用いられ、一組の時系列のキャンセル後受信周波数ビン、又は前記希望される搬送波信号周波数チャネルと関連づけられた時系列のキャンセル後受信信号が、平均干渉が測定されたＩであるように前記ピーク相関関係から少なくとも幾つかのサンプルだけ不整合であるようなＰＮ符号位相における前記関連づけられたパイロットＰＮシーケンスとの相関化において用いられ、ＥｃをＩｏによって除してＥｃ／Ｉｏが得られ、残存漏れ相関化メトリックを計算し、Ｎの送信機の送信されたＮの重み付き中継器送信信号のサンプルを用いてＰｏｕｔ（例えば、送信された全電力である各々のアレイ信号の平均二乗平均の和として表される）が決定され、Ｅｃ、Ｉｏ、Ｐｏｕｔ、及び測定された残存漏れ（最後のブロック）／計算された値に基づいてメトリックを計算し、新しい重みが生成されるのに応じて１回の適応ループ繰り返しにおいて最急降下適応アルゴリズム（ＬＭＳ、ＲＬＳ、又は摂動）を適用して空間重み設定を修正して前記メトリックを最適化する再帰方法を動作可能な形で実行することができる。
【００１３】
一側面により、無線通信ネットワークに関する中継器であって、フィードバックキャンセルを提供するために動作可能な前記中継器は、１つ以上のアンテナ要素を備えるアンテナアレイと、１つ以上の選択されたパイロット汚染制御動作の一部として動作可能なフィルタバンク、ビーム形成器、及び／又はフィードバックキャンセルループのうちの１つ以上を備えるメトリックモジュールと、を備える。
【００１４】
さらに他の側面により、中継器環境におけるフィードバックループキャンセルを容易にする方法は、等化フィードバックキャンセルループ、フィルタバンク、及びビーム形成器によって行われる１つ以上のメトリックを実行するために動作可能なメトリックモジュールを備える。前記メトリックモジュールは、中継器送信機漏れ信号及び受信信号をＭの数の受信機において受信することと、前記受信された信号をＮｓの数の時間サンプルとして格納することと、前記受信されたブロックにおいて高速フーリエ変換（ＦＦＴ）を行ってＦＦＴビンを生成することと、前記Ｍの数の受信機においてＭの数の複素空間受信重みを適用して前記ＦＦＴビンに関して各々のビンごとに重み付き受信機信号を生成することと、前記重み付き受信機信号を結合して複合重み付き信号を生成することと、自動利得制御出力周波数ビンを生成する際に用いるためのキャンセル後受信周波数ビンを生成することと、前記ＡＧＣ出力周波数ビンに空間重み付けを適用して重み付き送信周波数ビンアレイを生成することと、前記送信周波数ビンにおいて逆ＦＦＴを実行してＭの受信機に送信され及びキャンセルのために前記Ｍの受信機と合計される時間領域系列を生成すること、とを備える方法を備えるために動作可能である。
【００１５】
一側面により、コンピュータによって読み取り可能な媒体は、少なくとも次の動作、すなわち、適応アンテナアレイからＭの数の受信機において中継器送信機漏れ信号及び受信信号を受信すること、前記受信された信号をＮｓの数の時間サンプルとして格納すること、前記受信されたブロックに関して高速フーリエ変換（ＦＦＴ）を行ってＦＦＴビンを生成すること、前記Ｍの数の受信機においてＭの数の複素空間受信重みを適用して前記ＦＦＴビンに関して各々のビンごとに重み付き受信機信号を生成すること、前記重み付き受信機信号を結合して複合重み付き信号を生成すること、自動利得制御出力周波数ビンを生成する際に用いるためのキャンセル後受信周波数ビンを生成すること、前記ＡＧＣ出力周波数ビンに空間重み付けを適用して重み付き送信周波数ビンアレイを生成すること、前記送信周波数ビンにおいて逆ＦＦＴを実行してＭの受信機に送信され及びキャンセルのために前記Ｍの受信機において合計される時間領域系列を生成すること、を行うためのコンピュータによって実行可能な命令を格納している。
【００１６】
他の側面においては、プロセッサであって、少なくとも次の動作、すなわち、適応アンテナアレイからＭの数の受信機において中継器送信機漏れ信号及び受信信号を受信すること、前記受信された信号をＮｓの数の時間サンプルとして格納すること、前記受信されたブロックに関して高速フーリエ変換（ＦＦＴ）を行ってＦＦＴビンを生成すること、前記Ｍの数の受信機においてＭの数の複素空間受信重みを適用して前記ＦＦＴビンに関して各々のビンごとに重み付き受信機信号を生成すること、前記重み付き受信機信号を結合して複合重み付き信号を生成すること、自動利得制御出力周波数ビンを生成する際に用いるためのキャンセル後受信周波数ビンを生成すること、前記ＡＧＣ出力周波数ビンに空間重み付けを適用して重み付き送信周波数ビンアレイを生成すること、前記送信周波数ビンにおいて逆ＦＦＴを実行してＭの受信機に送信され及びキャンセルのために前記Ｍの受信機において合計される時間領域系列を生成することを前記プロセッサに行わせるためのコンピュータによって実行可能な命令を格納しているメモリを備える、プロセッサ。
【００１７】
さらに他の側面においては、中継器環境におけるフィードバックループキャンセルを容易にするシステムは、適応アンテナアレイから中継器送信機漏れ信号及び受信信号をＭの数の受信機において受信するための手段と、前記受信された信号をＮｓの数の時間サンプルとして格納するための手段と、前記受信されたブロックに関して高速フーリエ変換（ＦＦＴ）を行ってＦＦＴビンを生成するための手段と、前記Ｍの数の受信機においてＭの数の複素空間受信重みを適用して前記ＦＦＴビンに関して各々のビンごとに重み付き受信機信号を生成するための手段と、前記重み付き受信機信号を結合して複合重み付き信号を生成するための手段と、自動利得制御出力周波数ビンを生成する際に用いるためのキャンセル後受信周波数ビンを生成するための手段と、前記ＡＧＣ出力周波数ビンに空間重み付けを適用して重み付き送信周波数ビンアレイを生成するための手段と、前記送信周波数ビンにおいて逆ＦＦＴを実行してＭの受信機に送信され及びキャンセルのために前記Ｍの受信機において合計される時間領域系列を生成するための手段と、を備える。
【００１８】
以下の説明及び添付図は、主題の一定の例示的側面について詳細に説明するものである。しかしながら、これらの側面は、主題を採用できる様々な方法のうちの幾つかを示すにすぎず、請求される主題は、すべてのこれらの側面及びその同等の側面を含むことが意図される。
【図面の簡単な説明】
【００１９】
【図１】ここにおいて説明されるシステム及び方法による例示的中継器の典型的エンクロージャのブロック図である。
【図２】ここにおいて説明されるシステム及び方法によるフィードバックキャンセルを行う典型的ＲＦ中継器に関する典型的信号伝搬のブロック図である。
【図３】ここにおいて説明されるシステム及び方法による典型的アンテナ中継器構成要素のブロック図である。
【図４】ここにおいて説明されるシステム及び方法による典型的中継器構成要素のブロック図である。
【図５】ここにおいて説明されるシステム及び方法による例示的ＲＦ中継器の典型的構成要素の協力のブロック図である。
【図６】ここにおいて説明されるシステム及び方法による例示的ＲＦ中継器の典型的構成要素の協力の他のブロック図である。
【図７】ここにおいて説明されるシステム及び方法によるデュアルバンドアレイを有する周波数分割複信（ＦＤＤ）中継器のブロック図である。
【図８】ここにおいて説明されるシステム及び方法によるデジタル干渉キャンセルシステムを有する典型的ＦＤＤ単一帯域中継器のブロック図である。
【図９】ここにおいて説明されるシステム及び方法によるデジタル干渉キャンセルシステム及びアレイを有する典型的ＦＤＤ単一帯域中継器のブロック図である。
【図１０】ここにおいて説明されるシステム及び方法によるフィルタバンク手法を利用するフィードバックキャンセル及びメトリック適用機構を有する典型的構成要素の相互関係を示したブロック図である。
【図１１】ここにおいて説明されるシステム及び方法によるアンテナアレイと適応可能な形で協力するフィルタバンク手法を利用するフィードバックキャンセル及びメトリック適用機構を有する典型的構成要素の相互関係を示したブロック図である。
【図１２】ここにおいて説明されるシステム及び方法による典型的な配備されたフィードバックキャンセル及びメトリック適用機構の影響を示したグラフである。
【図１３】ここにおいて説明されるシステム及び方法による典型的な配備されたフィードバックキャンセル及びメトリック適用機構の影響を示した他のグラフ図である。
【図１４】ここにおいて説明されるシステム及び方法による典型的な配備されたフィードバックキャンセル及びメトリック適用機構の影響を示した他のグラフ図である。
【図１５】ここにおいて説明されるシステム及び方法により複合メトリックを用いる適応アンテナアレイに関する典型的信号重みの計算において用いるための典型的方程式のブロック図である。
【図１６】信号の強度及び完全性を最適化するために複合メトリックを展開することができる典型的通信環境のブロック図である。
【図１７】ここにおいて説明されるシステム及び方法による並行パイロット及びオーバーヘッドチャネル復調器を有する典型的ＦＤＤ単一帯域のブロック図である。
【図１８】フィルタバンク手法を用いた並行パイロット及びオーバーヘッドチャネル復調器を有する典型的ＦＤＤ単一帯域のブロック図である。
【図１９】ここにおいて説明されるシステム及び方法による搬送波に関するアンテナ利得及び正規化された受信信号強度表示と角度の関係を示したグラフ作図である。
【図２０】ここにおいて説明されるシステム及び方法による搬送波に関するアレイに関するＥｃ／Ｉｏの向上を示すグラフ作図である。
【図２１】ここにおいて説明されるシステム及び方法による適応アレイによって用いるための複合メトリックを展開する際に実行される処理の流れ図である。
【図２２】信号キャンセルを向上させるためにフィルタバンク手法を展開時に実行される典型的方法の流れ図である。
【図２２Ａ】信号キャンセルを向上させるためにフィルタバンク手法を展開時に実行される典型的方法の流れ図である。
【図２３】信号キャンセルを向上させるために等化されたキャンセラと協力して適応アレイを配備時に実行される典型的方法の流れ図である。
【図２４】ここにおいて説明されるシステム及び方法による適応アレイ及び典型的キャンセラを有する複合メトリック手法を展開するための典型的中継器システムのブロック図である。
【発明を実施するための形態】
【００２０】
本開示は、２００８年３月３日に出願された次の米国特許出願、すなわち、
“PHYSICAL LAYER REPEATER UTILIZING REAL TIME MEASUREMENT METRICS AND ADAPTIVE ANTENNA ARRAY TO PROMOTE SIGNAL INTEGRITY AND AMPLIFICATION”（信号の完全性及び増幅を向上させるためにリアルタイム測定メトリック及び適応アンテナアレイを利用する物理層中継器）、Ａｔｔｏｒｎｅｙ  Ｄｏｃｋｅｔ  Ｎｕｍｂｅｒ０８０６０３Ｕ１、一連番号ＸＸ／ＸＸＸ，ＸＸＸ；“CLOSED FORM CALCULATION OF TEMPORAL EQUALIZER WEIGHTS USED IN A REPEATER TRANSMITTER LEAKAGE CANCELLATION SYSTEM”（中継器送信機漏れキャンセルシステムにおいて用いられる時間等化器重みの閉形式計算）、Ａｔｔｏｒｎｅｙ  Ｄｏｃｋｅｔ  Ｎｏ．０８０６０３Ｕ２、一連番号ＸＸ／ＸＸＸ，ＸＸＸ；“USE OF A FILTERBANK IN AN ADAPTIVE ON-CHANNEL REPEATER UTILIZING ADAPTIVE ANTENNA ARRAYS”（適応アンテナアレイを利用する適応オンチャネル中継器におけるフィルタバンクの使用）、ＡｔｔｏｒｎｅｙＤｏｃｋｅｔ  Ｎｏ．０８０６０３Ｕ３、一連番号ＸＸ／ＸＸＸ，ＸＸＸ；“AUTOMATIC GAIN CONTROL AND FILTERING TECHNIQUES FOR USE IN ON-CHANNEL REPEATER”（オンチャネル中継器において用いるための自動利得制御及びフィルタリング技法）、Ａｔｔｏｒｎｅｙ Ｄｏｃｋｅｔ  Ｎｏ．０８０６０３Ｕ５、一連番号ＸＸ／ＸＸＸ，ＸＸＸ；“CONFIGURATION OF A REPEATER”（中継器構成）、Ａｔｔｏｒｎｅｙ Ｄｏｃｋｅｔ  Ｎｏ．０８０６０３Ｕ６、一連番号ＸＸ／ＸＸＸ，ＸＸＸ、及び“SUPERIMPOSED COMPOSITE CHANNEL FILTER”（スーパーインポーズされた複合チャネルフィルタ）、Ａｔｔｏｒｎｅｙ Ｄｏｃｋｅｔ  Ｎｏ．０８０６０３Ｕ７、一連番号ＸＸ／ＸＸＸ，ＸＸＸ、に関連し、各々の特許出願の内容は、その全体が参照されることによってここによって組み入れられている。
【００２１】
次に、図面を参照して様々な実施形態が説明され、同一のものについては全図面に渡って同一の参照数字を付すこととする。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００２２】
さらに、本発明の様々な側面が以下において説明される。ここにおける教示は非常に様々な形態で具現化できること及びここにおいて開示される特定の構造及び／又は機能は単なる代表例であるにすぎないことが明確なはずである。ここにおける教示に基づき、当業者は、ここにおいて開示される側面はその他の側面と無関係に実装できること及びこれらの側面のうちの２つ以上を様々な方法で組み合わせることができることを明確に理解すべきである。例えば、ここにおいて詳述される側面のうちのあらゆる数の側面を用いて装置を実装することができ及び／又は方法を実践することができる。さらに、ここにおいて詳述される側面のうちの１つ以上に加えての又はそれ以外のその他の構造及び／又は機能を用いて装置を実装でき及び／又は方法を実践することができる。一例として、ここにおいて説明される方法、デバイス、システム及び装置の多くは、Ｗ−ＣＤＭＡ通信システムにおいてアップリンクパイロット信号をブーストすることに関して説明される。当業者は、同様の技法をその他の通信環境に適用可能であることを明確に理解すべきである。
【００２３】
この出願において用いられる“構成要素”、“モジュール”、“システム”、等の用語は、ハードウェア、ファームウェア、ハードウェアとソフトウェアの組み合わせ、ソフトウェア、実行中のソフトウェア、ファームウェア、ミドルウェア、マイクロコード、及び／又はその組み合わせ、のいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。例として、制限することなしに、計算デバイスにおいて実行中のアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と対話中の及び／又はインターネット等のネットワークを通じて信号を用いてその他のシステムと対話中の構成要素からのデータ）を有する信号に従って通信することができる。さらに、当業者によって明確に理解されるように、ここにおいて説明されるシステムの構成要素は、それに関して説明される様々な側面、目標、利点、等を達成するのを容易にするために再配置すること及び／又は追加の構成要素によって補完することができ、さらに、所定の図において示される精密な構成に限定されない。
【００２４】
さらに、ここにおいては、様々な実施形態が無線端末又はユーザー装置（ＵＥ）と関係させて説明される。無線端末又はＵＥは、システム、加入者ユニット、加入者局、移動局、モバイル、モバイルデバイス、遠隔局、遠隔端末、ＵＥ、ユーザー端末、端末、無線通信デバイス、ユーザーエージェント、ユーザーデバイスと呼ぶことも可能である。無線端末又はＵＥは、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な実施形態が基地局と関係させて説明される。基地局は、無線端末と通信するために利用することができ、アクセスポイント、ノードＢ、又はその他の用語で呼ぶことも可能である。
【００２５】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。さらに、音声メールを送信及び受信する際、セルラーネットワーク等のネットワークにアクセスする際、又は指定された機能を果たすようにデバイスに命令する際に用いられるようなコンピュータによって読み取り可能な電子データ又は命令を搬送するために搬送波を採用できることが明確に理解されるべきである。従って、“機械によって読み取り可能な媒体”という表現は、命令及び／又はデータを格納、内蔵、及び／又は搬送することができる様々な物理的媒体を意味する（ただし、真空は意味しない）。さらに、ここにおいて説明されるシステム及び方法は、命令及び／又はデータを格納、内蔵、及び／又は搬送することができる無線チャネルの一部として機械によって読み取り可能な媒体として採用することができる。当然のことであるが、当業者は、ここにおいて説明されて請求される発明の適用範囲又は精神を逸脱せずに開示される実施形態に対して数多くの変更を行うことが可能であることを認識するであろう。
【００２６】
さらに、“典型的な”という表現は、ここでは、“１つの例、事例、又は実例”を意味するために用いられる。ここにおいて“典型的な”として説明されるいずれの側面又は設計も、その他の側面又は設計よりも好ましい又は有利であるとは必ずしも解釈すべきではない。むしろ、典型的という表現の使用は、概念を具体的に提示することが意図される。この出願において用いられる表現“又は”は、排他的“又は”ではなく包含的“又は”を意味することが意図される。すなわち、その他の規定がない限り、又は文脈から明らかでない限り、“ＸはＡ又はＢを採用する”は、自然の包含的置換のうちのいずれかを意味することが意図される。すなわち、ＸがＡを採用する、ＸがＢを採用する、又はＸがＡ及びＢの両方を採用する場合は、上記の事例のうちのいずれかに基づいて“ＸはＡ又はＢを採用する”が満たされる。さらに、この出願及び添付される請求項において用いられる冠詞“ａ”又は“ａｎ”は、一般的には、その他の規定がない限り又は単数形であることが示されることが文脈から明らかでない限り、“１つ以上”を意味すると解釈されるべきである。
【００２７】
ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００２８】
ここにおいて説明される技法は、様々な無線通信ネットワーク、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単搬送波ＦＤＭＡ（ＳＣ−ＦＤＭＡ）ネットワーク、等に関して用いることができる。用語“ネットワーク”及び“システム”は、しばしば互換可能な形で用いられる。ＣＤＭＡネットワークは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、ＴＤ−ＳＣＤＭＡと、ＴＤ−ＣＤＭＡと、を含む。ｃｄｍａ２０００は、ＩＳ−２０００、ＩＳ−９５、及びＩＳ−８５６基準を網羅する。ＴＤＭＡネットワークは、グローバル移動体通信システム（ＧＳＭ）等の無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等の無線技術を実装することができる。ＵＴＲＡ、Ｅ−ＵＴＲＡ、及びＧＳＭは、ユニバーサル移動体通信システム（ＵＭＴＳ）の一部である。ロング・ターム・エボリューション（ＬＴＥ）は、近い将来リリースされる予定のＥ−ＵＴＲＡを用いるＵＭＴＳである。ＵＴＲＡ、Ｅ−ＵＴＲＡ、ＧＳＭ、ＵＭＴＳ、及びＬＴＥは、“第３世代パートナーシッププロジェクト”（３ＧＰＰ）という名称の組織から発行された文書において説明されている。ｃｄｍａ２０００は、“第３世代パートナーシッププロジェクト２”（３ＧＰＰ２）という名称の組織から発行された文書において説明されている。これらの様々な無線技術及び基準は、当業において知られている。説明を明確化するため、以下においては、上記の技法の一定の側面は、ＬＴＥに適用されるときのアップリンクパイロット多重化に関して説明することができ、その結果、以下の説明の多くにおいては３ＧＰＰ技術を適宜用いることができる。
【００２９】
中継器環境における信号キャンセルに関して用いられる信号重みを最適化するための適応アンテナアレイ及び複合メトリック
キャンセラを有し、及びアレイ重み付け設定を向上させ又は最適化するために用いられる、システムにおいて利用可能なその他のメトリックから導き出された“複合”メトリックを有するアンテナアレイの使用が、ここにおいて説明されるシステム及び方法によって提供される。使用中の特定のメトリックは、Ｅｃ／Ｉｏと、ＳＮＲと、ＲＳＳＩと、相関化された電力と、中継器動作と関連づけられた特定の分離関連メトリックと、を含むことができる。その他のメトリック計算は、キャンセラを有する適応アンテナアレイを用いて１つ以上のメトリックを導き出すことができる。例示的実装においては、最急降下に基づく適応アルゴリズムを、アレイ内おいて最小化されているメトリックの主構成要素としてキャンセル後相関化メトリックと関係させて用いることができる。この方法により、キャンセラ内を“調べる”ことによってアレイ重みを最適化することができ、従ってキャンセル及びアレイ重みをまとめて最適化することができる。
【００３０】
“残存漏れメトリック”（例えば、キャンセル後相関化メトリック）をその他のメトリック、例えば“複合分離”、ＲＳＳＩ、ＳＮＲ、又はＥｃ／Ｉｏ、と結合することによって、アンテナアレイ適応結果が、特定の目標を達成させるためのアレイとキャンセラの共同適応の際に影響を受ける可能性がある。複合メトリック手法を用いる際に実現できる利益は、その他の基地局からの干渉を回避することである。他の利益は、低レベルの信号が存在するときに受信された信号のレベルを上げることである。繰り返すと、フィルタバンクを用いることで、動作を各々のビンごとに行うことができる。重み計算の結果は、部分組の周波数ビンの挙動が一致している必要がある場合にこれらの組のビンにわたって結合させるか又は平均を求めることができる。周波数ビン内の特定のアンテナ重みの組の平均を求めて単一の合同結果及び共有結果を生成する必要がある１つの該ケースは、個々のＣＤＭＡ又はＷＣＤＭＡ搬送波における場合になる。
【００３１】
新しいメトリックが適用される対象となる特定の搬送波を網羅する選択されたビン全体における重みの平均を求めることの代替は、共通の周波数ビンに関して得られた同じフィードバックを提供する“ジョイントメトリック”構成要素を導き出すことである。この一例は、例えばＣＤＭＡ２０００又はＷＣＤＭＡ搬送波にわたる周波数ビンによって表される信号の相関化を行うことである。共通のメトリック構成要素は、相関化されたパイロットチャネル（Ｅｃ）のエネルギー又は相関化されたパイロットエネルギーＥｃと無相関化エネルギー（Ｉｏ）の比であることができる。この比はＥｃ／Ｉｏと呼ばれ、特定の基地局からの信号の品質の指標である。このメトリックは、ほとんどのＣＤＭＡシステムにおいて用いられる。ＯＦＤＭに基づくシステムにおいては、パイロット搬送波エネルギーを用いることができ、又はパイロットＥＶＭ又はエラーベクトル振幅によって信号品質を表すことができる。
【００３２】
例示的実装においては、フィルタバンク以外の手法の場合は、漏れ信号のキャンセル後に、希望される信号をデジタルダウンコンバージョン及びフィルタリングして相関器に渡すことができる。この実装においては、“ジョイントメトリック”構成要素は、プロセスにおいて固有である。
【００３３】
他の例示的実装においては、希望される信号を表す特定の周波数ビンを収集することができ及び（キャンセル段階に後続して）原ＦＦＴよりも小さいサイズの逆ＦＦＴを行い、相関器とともに用いるための時間サンプルを得ることができる。この実装においては、“ジョイントメトリック”構成要素は、同じくプロセスにおいて固有である。
【００３４】
他の例示的実装においては、希望される搬送波を表す個々の周波数ビンの各々において新しいタイプの相関化プロセスを実行することができる。例として、“グループごとの”又は搬送波全体に基づく相関化を行うために使用中のシーケンスのＦＦＴを行うことができるが、この新しいＦＦＴからの関連づけられたビンの各々に基づいて各ビンを個々に相関化する。その結果は、個々の相関化された電力又は“Ｅｃ”測定値であることができる。この実装においては、相関化結果は、個々に用いることが可能であり又は合計してジョイントメトリック構成要素に関する総合結果を求めることが可能である。
【００３５】
例示的実装においては、相関器を希望されるＰｎ整合と不整合にして相互相関ノイズフロアを得ることによってＩｏ（干渉）が得られる。
【００３６】
例として、基地局へのダウンリンクにおけるアンテナ重みと関連づけられた設定に基づくアップリンクにおけるアンテナ重みは、メトリック計算プロセスの一部であるとみなすことができる。アレイが隣接セルの干渉回避を試みることに基づいてステアリングされる場合は、重み選択に影響を及ぼす可能性がある。この動作上の制約に対処するために、例示的実装においては、（中継器から基地局への）アップリンク送信重みを、ダウンリンク受信重みと同じになるように設定することができる。これは、ダウンリンクにおけるＥｃ／Ｉｏ項（ｔｅｒｍ）が圧倒的であるときに合理的な手法になる。
【００３７】
さらに、アップリンクにおける分離項が十分であるときには、ダウンリンクＥｃ／Ｉｏを最大化するために用いられる重みをアップリンクにおいて用いることができる。例示的実装においては、ダウンリンクアレイはデジタルビーム形成器であり、Ｅｃ／Ｉｏを最大化するための重みを決定することは、実際にはいずれの重みがダウンリンク信号に適用されるかとは無関係に達成することができる。
【００３８】
典型的中継器
図１は、ここにおいて説明される様々な側面による例示的中継器に関する典型的エンクロージャを示す。図１に示されるように、ダイポールデュアルパッチアンテナ構成は、中継器電子機器とともに、コンパクトなエンクロージャ１００内に効率的に収納することができる。エンクロージャ１００の構造は、２つの方法のうちの少なくとも１つで直感的に方位を定めることができるような構造であることができる。しかしながら、信号受信感度を最大にするためにエンクロージャの配置に関する取り扱い説明をユーザーに提供することができる。典型的ダイポールデュアルパッチアンテナ構成においては、中継器電子機器用プリント基板（ＰＣＢ）とともに組み入れられたグランド面は、例えばスタンドオフ１２０を用いて２つのパッチアンテナ１１４と１１５と平行に及びこれらのパッチアンテナ１１４と１１５の間に配置することができる。多くの場合は、分離を向上させるための分離フェンス１１２を採用することができる。
【００３９】
パッチアンテナ１１４及び１１５の各々は、例えば、グランド面１１３と平行に配置することができ、及び配線板、等の上にプリントすることができ、スタンプされた金属部分がプラスチックのハウジング内に埋め込まれる構造にすることができ、又は異なる方法で製造することができる。グランド面１１３と関連づけられたＰＣＢの平面部分は、例えばＰＣＢ上における埋め込まれたトレースとして構成されたダイポールアンテナ１１１を含むことができる。典型的には、パッチアンテナ1１４及び１１５は、垂直偏波することができ、ダイポールアンテナ１１１は、水平偏波されるが、その他の実施形態を用いることも可能である。
【００４０】
重なり合わないアンテナパターンと反対の偏波の組み合わせを利用して、デュアルダイポールデュアルパッチアンテナにおける受信アンテナと送信アンテナとの間において約４０ｄＢの分離を達成することができる。特に、送信機及び受信機のうちの１つは、アクセスポイントとの通信用の垂直偏波を有する２つのデュアル切り替えパッチアンテナのうちの１つを使用し、他方、送信機及び受信機のうちの他方は、水平偏波を有するダイポールアンテナを採用する。この手法は、中継器が屋内ネットワーク信号を屋内のクライアントに中継することを意味するときに特に適用可能である。この場合は、クライアントに送信するアンテナのパターンは、典型的には、クライアントへの方向が不明であるため、一般的に無指向性である必要があり、デュアルダイポールアンテナの使用を要求する。
【００４１】
図２は、例示する中継器環境２００内における典型的信号流の例示的ブロック図を描く。示されるように、弱い受信信号（希望される受信信号）２２０は、アンテナ要素２１０によって受信することができ、利得及び遅延構成要素２０５への入力として働くことができる。利得及び遅延構成要素２０５は、弱い受信信号２２０を処理して強い信号２３０をアンテナ要素２１５からの出力として生成することができる。さらに、受信機２２５内への送信信号漏れは、弱い受信信号２２０を処理して強い信号２３０を生成するときに用いるためにアンテナ要素２１０における利得及び遅延２０５への入力として働くこともできる。受信機２２５内への送信漏れ信号は、アンテナ要素２１０及び２１５に動作可能な形で結合されたフィードバックキャンセルループ（示されていない）によって生成することができる。すなわち、フィードバックキャンセルループは、中継器によって送信される信号を生成し、この信号の一部は、送信漏れ信号として受信機２２５によって受信される。
【００４２】
図３は、典型的中継器環境３００のアンテナ要素の相互作用を示す。典型的中継器環境３００は、ダイポールアンテナ３０５と３２０とを含むプリント基板３３０を備え、パッチアンテナ３１０と３１５とをさらに含む。例示的実装においては、ダイポール／パッチアンテナの組み合わせは、送信チャネルと受信チャネルとの間の選択された分離を達成して希望されるフィードバックキャンセルの展開を可能にすることができる。図３のアンテナ構成は、ここにおいて説明されるその他の実施形態において用いることができるアンテナアレイの構成例である。
【００４３】
図４は、典型的中継器に関する選択された分離を提供する際に用いるための他のアンテナ構成の１つの側を示す。アンテナ構成４００は、１つ以上のパッチアンテナ４１０及び４１５が取り付けられたＰＣＢ板４０５を備える。典型的にはＰＣＢの反対側にも同様の数のアンテナパッチが存在することになり、典型的にはアンテナ４１０及び４１５の偏波と比較したときに反対の又は有利な偏波方向に向けられており、従って、ＰＣＢの反対側のアンテナ間において十分な量のさらには最大量の分離が達成されることに注目すること。例示的実装においては、ＰＣＢ板４０５は、様々な構成における１つ以上のパッチアンテナ４１０及び４１５を備えることができ、２対以上のパッチアンテナ及びスーパーセットを構成する不等な数の各々のパッチアンテナを有することができる。アンテナ構成４００は、ＰＣＢの反対側における同様の数のアンテナとともにパッチアンテナ４１０及び４１５を配備することで、典型的な協力するフィードバックキャンセルループ（例えば、アンテナアレイに動作可能な形で結合されたフィードバックキャンセルループ）によって提供される分離及び増幅に協力するために送信チャネルと受信チャネル（例えば、１つ以上のパッチアンテナに動作可能な形で結合された送信アンテナと１つ以上のパッチアンテナに動作可能な形で結合された受信チャネル）との間において選択された分離を提供することができる。図４の構成は、ここにおいて説明される実施形態において用いることができるアンテナアレイの他の例を示す。
【００４４】
図５は、１つ以上のアンテナアレイ用いて信号のコンディショニング及び増幅を行うために動作可能な典型的中継器環境５００を示す。典型的中継器環境５００は、アンテナ要素５１０及び５１５を有する第１のアンテナアレイ５０５と、アンテナ要素５３０及び５３５を有する第２のアンテナアレイと、多トランシーバ回路５２０を備える処理回路５４５と、コントローラ５２５と、を備える。アンテナアレイ５０５及び５４０は、多トランシーバ回路５２０と協力することができ、多トランシーバ回路５２０は、典型的中継器環境５００の動作の一部としてコントローラ５２５と協力する。信号は、アンテナアレイ５０５及び５４０によって受信して信号のコンディショニングと処理のために処理回路５４５に渡し、次に１つ以上の協力構成要素（例えば、ＣＤＭＡ無線通信ネットワークの基地局）と通信するためにアンテナアレイ５０５及び５４０に戻すことができる。
【００４５】
例示的実装においては、アンテナアレイ５０５及び５４０は、１つ以上のアンテナアレイの協力及び１つ以上のメトリック、例えば１つ以上の相関化結果、の適用によって実現される適応フィードバックキャンセルを達成するために以下において説明される方法を実行するために要求されるのに応じた追加のアンテナ要素を備えることができる。さらに、ここにおいて説明されるシステム及び方法は、様々な構成を有し及び様々な数のアンテナ要素を備える様々な数のアンテナアレイの使用を企図するため、ここにおいて説明されるアンテナアレイの数及び構成は単なる例であるにすぎない。
【００４６】
図６は、典型的中継器環境６００の相互関係を示す。典型的中継器環境６００は、第１のアンテナ６２５と第４のアンテナ６４０とを備えるアンテナアレイ６４５と、シールドされた多トランシーバ要素６３０と、第２のアンテナ要素６６０と第３のアンテナ要素６５５とを備えるアンテナアレイ６５０と、を備える処理回路６２０を備える。動作可能な形で、第１のネットワーク６０５から発生するダウンリンク信号６１０は、処理回路６２０によって処理して第２のネットワーク６７５に通信するための中継されたダウンリンク信号６５５を生成することができ、第２のネットワーク６７５から発生するアップリンク信号は、処理回路６２０によって処理して第１のネットワーク６０５に通信するための中継されたアップリンク信号６１５を生成することができる。アンテナアレイ６４５及び６５０の構成及び方位は、処理回路６２０に提供されるコンディショニングされていないアップリンク信号及びダウンリンク信号の選択された分離を促進し及び該信号の希望される増幅及び利得を促進する。
【００４７】
例示的実装においては、典型的中継器環境６００は、１つ以上のアンテナアレイの協力及び相関化されたメトリックの適用によって実現される適応フィードバックキャンセルを達成するためにここにおいて説明される方法を実行するために要求されるのに応じた追加のアンテナ要素を備えることができる。さらに、ここにおいて説明されるシステム及び方法は、様々な構成を有し及び様々な数のアンテナ要素を備える様々な数のアンテナアレイの使用を企図するため、ここにおいて説明されるアンテナアレイの数及び構成は単なる例であるにすぎないことが明確に理解される。
【００４８】
図７は、様々な例示的実装による複数の帯域において動作するように構成された４アンテナ、多トランシーバデバイス７００のブロック図である。このデバイス７００は、利用可能なアンテナの可変構成を用いて２つの異なる帯域間で自由に信号を送信することができる。
【００４９】
図７に示されるように、デバイス７００は、第１の側７１０と第２の側７１２とを有するシールドされた多トランシーバ要素７０１を含むことができる。シールドされた多トランシーバ要素７０１は、第１の帯域トランシーバ７３２及び７４８と、第１の帯域ベースバンド回路７３４と、第２の帯域トランシーバ７５０及び７５４と、第２の帯域ベースバンド回路７５２と、デュプレクサ７２４、７２６、７２８、７３０、７３８、７４０、７４４、及び７４６と、ダイプレクサ７２０、７２２、７３６、及び７４２と、を含み、第１の側７１０は、アンテナ７０６と７０８とを含み、前記第２の側７１２は、アンテナ７１４と７１６とを含む。示されていないが、デバイス７００は、上述されるように、少なくとも１つの電磁分離要素（例えば、図１に示されるような分離フェンス及び／又はその他の分離要素）を含み、第１の側７１０におけるアンテナ７０６及び７０８と、第２の側７１２におけるアンテナ７１４及び７１６との間において電磁（ＥＭ）分離を提供する。
【００５０】
例として、アンテナ７０６は、信号７０２を送信又は受信することができ、アンテナ７０８は、信号７０４を送信又は受信することができ、アンテナ７１４は、信号７５６を送信又は受信することができ、アンテナ７１６は、信号７１８を送信又は受信することができる。これらのアンテナ７０６、７０８、７１４、及び７１６は、平面（例えば、パッチ）アンテナ、又は互いに有効に分離することができるその他の望ましいアンテナ型であることができる。
【００５１】
第１の帯域トランシーバ７３２は、デュプレクサ７２４、７２６、７２８、及び７３０、及びダイプレクサ７２０、及び７２２を通じてアンテ７０６及び７０８に接続され、アンテナ７０６及び７０８を介してデータを送信又は受信する。第１の帯域トランシーバ７４８は、デュプレクサ７３８、７４０、７４４、及び７４６、及びダイプレクサ７３６、及び７４２を通じてアンテ７１４及び７４２に接続され、アンテナ７１４及び７１６を介してデータを送信又は受信する。第１の帯域ベースバンド回路７３４は、第１の帯域トランシーバ７３２と第１の帯域トランシーバ７４８との間に接続されてこれらの２つの回路間での通信を提供する。
【００５２】
第２の帯域トランシーバ７５０は、デュプレクサ７２８及び７３０、及びダイプレクサ７２０及び７２２を通じてアンテ７０６及び７０８に接続され、アンテナ７０６及び７０８を介してデータを送信又は受信する。第２の帯域トランシーバ７５４は、デュプレクサ７３８及び７４０、及びダイプレクサ７３６及び７４２を通じてアンテ７１４及び７１６に接続され、アンテナ７１４及び７１６を介してデータを送信又は受信する。第２の帯域ベースバンド回路７５２は、第２の帯域トランシーバ７５０と第２の帯域トランシーバ７５４との間に接続されてこれらの２つの回路間における通信を提供する。
【００５３】
ダイプレクサ７２０、７２２は、アンテナ７０６及び７０８と、デュプレクサ７２４、７２６、７２８、及び７３０との間に接続される。これらは、例えば、アンテナ７０６及び７０８と第１の帯域トランシーバ７３２との間で及びアンテナ７０６及び７０８と第２の帯域トランシーバ７５０との間でいずれの信号が渡されるかを決定するために動作する。
【００５４】
ダイプレクサ７２０、７２２は、周波数に基づいて信号を分割し、第１の周波数帯域の信号をデュプレクサ７２４及び７２６に／から渡し、第２の周波数帯域の信号をデュプレクサ７２８及び７３０に／から渡すように構成される。
【００５５】
デュプレクサ７２６、７２８は、ダイプレクサ７２０、７２２と第１の帯域トランシーバ７３２との間に接続され、デュプレクサ７２８、７３０は、ダイプレクサ７２０、７２２と第２の帯域トランシーバ７５０との間に接続される。これらのデュプレクサ７２４、７２６、７２８、７３０は、第１及び第２の帯域トランシーバ７３２及び７５０とダイプレクサ７２０、７２２との間において送信信号又は受信信号の方向を適切に示すために第１又は第２の帯域内においてわずかに異なる周波数の信号をそれぞれルーティングする働きをする。
【００５６】
ダイプレクサ７３８、７４２は、アンテナ７１６及び７１６と、デュプレクサ７３８、７４０、７４４、及び７４６との間に接続される。これらは、例えば、アンテナ７１４及び７１６と第１の帯域トランシーバ７４８との間で、及びアンテナ７１４及び７１６と第２の帯域トランシーバ７５４との間でいずれの信号が渡されるかを決定するために動作する。
【００５７】
ダイプレクサ７３８、７４２は、周波数に基づいて信号を分割し、第２の周波数帯域の信号をデュプレクサ７３８及び７４０に／から渡し、第１の周波数帯域の信号をデュプレクサ７４４及び７４６に／から渡すように構成される。
【００５８】
デュプレクサ７３８、７４０は、ダイプレクサ７３６、７４２と第２の帯域トランシーバ７５４との間に接続され、デュプレクサ７４４、７４６は、ダイプレクサ７３６、７４２と第１の帯域トランシーバ７４８との間に接続される。これらのデュプレクサ７３８、７４０、７４４、７４６は、第１及び第２の帯域トランシーバ７４８及び７５４とダイプレクサ７３６、７４２との間において送信信号又は受信信号の方向を適切に示すために第１又は第２の帯域内においてわずかに異なる周波数の信号をそれぞれルーティングする働きをする。
【００５９】
代替の例示的実施形態においては、幾つかの実施形態においては帯域及びアンテナの一定の置換を禁止することができるため、デュプレクサ７２４、７２６、７２８、７３０、７３８、７４０、７４４、及び７４６、又はダイプレクサ７２０、７２２、７３６、及び７４２の一部は取り除くことができる。
【００６０】
その他の例示的実施形態においては、異なる帯域からの信号を一定の送信方位に特に割り当てることができる。該実施形態においては、デュプレクサ７２４、７２６、７２８、７３０、７３８、７４，７４４、及び７４６の出力は、アンテナ７０６、７０８、７１４、又は７１６に直接接続することができる。例えば、第１の帯域は、水平方位を用いて送信／受信するように指定することが可能であり、第２の帯域は、垂直方位を用いて送信／受信するように指定することが可能である。
【００６１】
上記の例示的実装は、２つ又は４つのアンテナのみを２つのトランシーバとともに用いることを示すが、これは例であるにすぎない。異なるアンテナ数又はトランシーバ数を用いる多アンテナ、多トランシーバデバイスも使用可能である。
【００６２】
さらに、上記の例示的実装は、ＰＣＢから切り離されたアンテナを示すが、代替実施形態は、ＰＣＢの反対側において直接アンテナを形成することが可能である。該実施形態においては、ＰＣＢ内の絶縁層は、アンテナをグランド面から切り離すための要求される非伝導性支持物を形成することができる。さらに、該実施形態においては、トランシーバは、ＰＣＢから外れて形成し、ＰＣＢ上での配線によってアンテナに接続させることが可能である。この種の一体化構造は、よりコンパクトなデバイスを提供することができる。
【００６３】
図８は、ここにおいて説明される典型的方法を実行することによりＦＤＤ単一帯域をデジタル干渉キャンセルシステムとともに利用するために動作可能な典型的中継器環境８００を描く。示されるように、典型的中継器環境８００は、基地局８０２から信号を受信するために動作可能なアンテナ要素に動作可能な形で結合され及びトランシーバ８０６に入力信号を提供するデュプレクサ８０４を備え及び処理のためにトランシーバ８０６から信号を受信するために動作可能である。さらに、典型的中継器環境は、トランシーバ８０６及びデュプレクサ８１２に動作可能な形で結合されるトランシーバ８１０に動作可能な形で結合されるデジタル中継器ベースバンド構成要素８０８を備える。例示的実装においては、デュプレクサは、協力する加入者構成要素８１４（例えば、モバイルハンドセット）への信号通信を可能にするアンテナ要素に動作可能な形で結合される。
【００６４】
例示的動作においては、矢印線によって示されるように、入射信号及び送信された信号は、ここにおいて説明される典型的フィードバックキャンセル方法を実装できるような形で典型的中継器環境８００によって処理することができる。
【００６５】
図９は、ここにおいて説明される典型的方法を実行することによりＦＤＤ単一帯域をデジタル干渉及びアンテナアレイとともに利用するために動作可能な典型的中継器環境９００を示す。示されるように、典型的中継器環境９００は、デュプレクサ９０４、９０６、９１４、及び９１６と、トランシーバ９０８及び９１２と、デジタル中継器ベースバンド９１０と、を備える。デュプレクサ９０４、９０６、９１４、及び９１６は、基地局９０２及び加入者構成要素９１８から信号を受信／送信できる１つ以上のアンテナ要素に動作可能な形で結合することができる。
【００６６】
例示的動作においては、矢印線によって示されるように、入射信号及び送信された信号は、ここにおいて説明される典型的フィードバックキャンセル方法に従って典型的中継器環境９００によって処理することができる。
【００６７】
図１０は、ここにおいて説明される典型的方法を実行するために動作可能である例示的中継器環境１０００の典型的構成要素の相互関係を示すブロック図である。図１０は、フィードバックループキャンセル技法の一部として重み付け計算を展開し及びメトリックを適用する典型的中継器環境１０００の実装を示す。典型的中継器環境１０００は、ビン１  １００５、ビン２  １０１０、ビン３  １０１５、乃至ビンＮ １０２０によって表される１つ以上のデジタル受信及び送信プロセスビンを実行するために動作可能である。さらに、デジタル受信及び送信プロセスビンの入力及び出力は、高速フーリエ変換（ＦＴＴ）モジュール１０２５及び１０３０を備えることができる。
【００６８】
例示的動作においては、信号は、中継器環境１０００による処理のためにアンテナ要素１０３５に入射することができる。受信された信号は、１つ以上の受信及び送信プロセスビン１  １００５乃至ビンＮ  １０２０のＦＦＴモジュール１０２５に従って処理することができ、その出力は、乗算器１０３８、減算構成要素１０３６、及び乗算器構成要素１０３４の入力に渡すことができる。乗算器構成要素の出力は、加算器構成要素１０３２への入力として働いて選択された値をフィルタバンク動作において用いるために生成することができる。減算ブロック１０３６の出力は、乗算器１０５６への入力として働くことができ、乗算器１０５６は、減算された信号（例えば、ＦＦＴモジュール１０２５及び除算モジュール１０４４の出力の減算）を取り出して重みブロック１０５４からの計算された重みを乗じる。乗算器１０５６の出力は、乗算器１０６０への入力として働くことができ、乗算器１０６０の出力は、フィルタバンク動作において用いるための選択された値を生成する加算器１０５８への入力として働くことができる。乗算器１０５４の出力は、１つ以上のフィルタバンク動作により選択された時間遅延を処理された信号に提供することができる遅延ブロック１０６２への入力として働くこともできる。
【００６９】
遅延ブロック１０６２の出力は、ＦＦＴモジュール１０２５の出力を時間遅延に乗じる乗算器１０３８への入力として働くことができる。乗算器ブロック１０３８の出力は、加算器ブロック１０４０への入力として働くことができ、加算器ブロック１０４０の出力は、遅延ブロック１０６２からの時間遅延に加算器ブロック１０４０の出力を乗じるために動作可能な乗算ブロック１０４２への入力として働く。乗算器ブロック１０４２の出力は、乗算器ブロック１０４２の出力を加算器ブロック１０４６の出力によって除すことができる除算ブロック１０４４への入力として働くことができ、除算ブロック１０４４の出力は、減算ブロック１０３６への入力として働くことができる。さらに、示されるように、遅延ブロック１０６２の出力は、遅延ブロック１０６２からの時間遅延に減算ブロック１０３６の出力を乗じることができる乗算器１０５０への入力として働くことができる。乗算器ブロック１０５０の出力は、フィルタバンク動作に関する選択された値を生成する加算器ブロック１０５２の入力として働くことができる。さらに、遅延ブロック１０６２の出力は、遅延ブロック出力にそれ自体を乗じる乗算器１０４８への入力として働くことができる。乗算器ブロック１０４８の出力は、加算器ブロック１０４６への入力として働くことができ、加算器ブロック１０４６の出力は、除算ブロック１０４４への入力として働くことができる。さらに、乗算器ブロック１０５６の出力は、１つ以上の逆ＦＦＴ演算を行うことができるＦＦＴブロック１０３０への入力として働くことができる。ＦＦＴブロック１０３０の出力は、アンテナ要素１０４０を用いる１つ以上の協力構成要素（例えば、加入者モジュール）に通信することができる。
【００７０】
図１１は、典型的中継器環境１１００によって実行されるとしてここにおいて説明される典型的方法を実行するための典型的構成要素と典型的信号経路の相互関係を示すブロック図である。信号は、アンテナ要素１１１２及び１１１６のうちの１つにおいて受信することができ及びＦＦＴモジュール１１１０又は１１１４によってそれぞれ処理することができる。さらに、典型的中継器環境１１００の出力において、アンテナ要素１１７６及び１１７２は、ＦＦＴモジュール１１７４及び１１７０とそれぞれ協力することができる。例示的実装においては、多アンテナ要素１１１２及び１１１６（及び１１７６及び１１７２）は、受信及び送信プロセスビン１  １１０２、ビン２  １１０４、ビン３  １１０６、乃至プロセスビンＮ  １１０８と協力するために動作可能な適応アンテナアレイを備えることができる。例として、プロセスビンは、フィルタバンク手法を用いた入射信号の並行処理を表すことができ、従って、広帯域入射信号は、典型的処理ビン１  １１０２、ビン２  １１０４、ビン３  １１０６、乃至ビンＮ  １１０８の各々において説明される処理構成要素に従って周波数領域において処理される１つ以上の狭帯域ブロック及び矢印線によって示されるような処理構成要素間の信号経路に分解することができる。
【００７１】
例として、処理構成要素は、重みブロック１１１８、１１６８、１１６０と、乗算器１１２０、１１３０、１１２４、１１３２、１１４０、１１４４、１１４６、１１５２、１１５４、１１６４、及び１１６２と、加算器ブロック１１２８、１１３４、１１４８、１１４２、及び１１５６と、を備えることができる。処理構成要素は、除算ブロック１１３８と、減算ブロック１１３６と、加算器ブロック１１２２及び１１５８と、をさらに含む。例示的処理構成要素は、矢印線によって示されるように協力し、典型的中継器環境１１００の送信機構成要素と受信機構成要素との間における信号キャンセルを促進する際にフィルタバンク手法を実行するための１つ以上の方法を実行する。
【００７２】
図１２は、（例えば、図１０及び１１において説明されるように）複数の周波数受信及び送信処理ビンの相互相関関係を示すグラフ図である。グラフ作図１２００によって示されるように、フィードバック漏れ１２０５は、希望される信号１２１０に関して突出し、希望される信号がフィードバック漏れ信号（例えば、典型的中継器の送信側から漏れて受信機に戻る信号）であふれることになる。例として、フィードバック漏れ信号１２０５の電力は約５０ｄＢであり、希望される信号１２１０は、２５ｄＢの電力レベルを有する状態が示される。フィードバック漏れ信号１２０５と希望される信号１２１０との間の差は、典型的中継器の性能に対して有意な影響を及ぼす可能性がある。
【００７３】
図１３は、フィードバックキャンセル信号が典型的中継器環境に対して及ぼす影響を低減させる際に典型的フィルタバンク手法を適用することによって実現される性能利得のグラフ作図である。示されるように、グラフ作図１３００において、フィードバック漏れ信号は、フィードバック漏れ除去ブロック１３１０によって示されるように除去される。さらに、希望される信号１３２０は、ここにおいて説明されるフィルタバンクフィードバックキャンセル処理技法の適用によって２０ｄＢを超える性能向上を有する状態が示される。
【００７４】
図１４は、Ｎの数の処理ビン（Ｘ軸）による並行処理のグラフ作図を示す３次元グラフ図である。グラフ作図１４００において示されるように、入力信号１４１０は、ここにおいて説明されるフィルタバンク手法に従って個別に分解して並行ビンにおいて処理することができる。分解された信号（例えば、個別の狭帯域に分解された信号）は、図１４に示されるように相関化することができ（Ｙ軸）、従って希望される信号１４１０は、性能向上（例えば電力向上−Ｚ軸）を実現するために処理してサポートすることができる
図１５は、ここにおいて説明される方法を実行する際に用いられる典型的方程式１５１０及び１５２０のブロック図である。典型的方程式１５１０は、適応アンテナアレイの分離を計算するために用いることができ、典型的方程式１５２０は、ここにおいて説明される方法を実行することによって実現される全体的複合分離を計算するために用いることができる。
【００７５】
図１６は、典型的中継器に関するビーム形成を可能にする典型的無線通信環境のブロック図である。示されるように、無線通信環境は、基地局１６１０と、基地局１２０と、定住（ｄｏｍｉｃｉｌｅｄ）中継器環境１６３０と、ビームパターン１６４０及び１６５０と、を備える。動作可能な形で、基地局１６１０及び１６２０は、割り当てられた複数の搬送波を有することができる。すなわち、基地局１６１０は、同時に送信するＦ１、Ｆ２、．．．Ｆｎ搬送波を有することができる。基地局１６２０は、同じセルラーネットワーク内に存在する場合は同じ搬送波が送信中であることが可能である。ビーム形成器がフィルタ帯域手法を用いて実装される場合は、複数のビームを各基地局に対して異なる周波数でステアリングすることができる。典型的な選択されたステアリングアルゴリズムは、各搬送波に関して最も強いＥｃ／Ｉｏに合わせて最適化することができる。Ｆ１  ＰＮ１における基地局１６１０が最も強力なＥｃ／Ｉｏを有していてそれがここにおいて説明される方法によって基地局１６２０に関して最適化される一方で、Ｆ２の場合は、基地局１６２０がＦ２に関してより良いＥｃ／Ｉｏを有する可能性があり、その場合は、Ｆ２に関するビームが基地局１６２０に指向され、基地局１６１０はヌルが自己の方にステアリングされる傾向が生じることになる。
【００７６】
図１７は、並行パイロット及びオーバーヘッドチャネル復調器を有する典型的ＦＤＤ単一帯域を示すブロック図である。示されるように、典型的中継器環境１７００は、アンテナ要素１７１０及び１７２０と、デュプレクサ１７１５及び１７２５と、デュアル受信及びダウンコンバータ１７３０と、干渉キャンセルシステム１７３５と、重みブロック及び乗算器１７４０及７４５と、加算器ブロック１７４７と、パイロットオーバーヘッドチャネル復調器１７５０と、を備える。
【００７７】
例示的動作においては、信号は、送信機アップコンバータソース１７５５及び１７６０からの信号を動作可能な形で二重化することができるデュプレクサ１７１５及び１７２５による処理のためにアンテナ要素１７１０及び１７２０によって受信することができる。デュプレクサ１７１５及び１７２５の出力は、干渉キャンセルシステム１７３５によるキャンセルのためにデュアル受信機ダウンコンバータ１７３０によって処理される。干渉キャンセルシステム１７３５の出力は、重みブロック１７４０及び１７４５からの重みと動作可能な形で乗算することができ、次に、パイロット及びオーバーヘッドチャネル復調器１７５０によって加算及び処理することができる。
【００７８】
図１８は、ここにおいて説明される方法を完遂させるためにフィルタバンク手法を用いる並行パイロット及びオーバーヘッドチャネル復調器を有する典型的ＦＤＤ単一帯域を示すブロック図である。示されるように、典型的中継器１８００は、基地局１８０２と、アンテナ要素１８０４及び１８０６と、デュプレクサ１８０８及び１８１０と、デュアル受信機ダウンコンバータ１８１２と、協力するデュアルアップコンバータソース１８１４と、協力するデュアルダウンコンバータソース１８１６と、高速フーリエ変換ブロック１８１８及び１８２０と、重み構成要素１８２２及び１８２６を備えるデジタル受信及び送信プロセスビン１８３４と、乗算器１８２８と、加算器構成要素１８３０と、干渉キャンセルシステム１８３２と、逆ＦＦＴブロック１８３８と、パイロット及びオーバーヘッドチャネル復調器１８４０と、典型的中継器デジタルプロセッサからの命令を提供及び受け取るための出力タップ１８３６と、を備える。
【００７９】
例示的動作においては、基地局１８０２によって提供される信号は、デュプレクサ１８０８及び１８１０による処理のためにアンテナ要素１８０４及び１８０６（例えば適応アンテナアレイ）によって受信することができる。デュプレクサ１８１０は、デュアル送信アップコンバータ１８１４から信号を受信することもでき、デュプレクサ１８０８は、二重化動作のためにデュアル送信アップコンバータ１８１６から信号を受信することができる。デュプレクサ１８０８及び１８１０の出力は、トランシーバ１８１２への入力として働くことができ、トランシーバデュアル受信機ダウンコンバータの出力は、ＦＦＴモジュール１８１８及び１８２０への入力として働くことができる。ＦＦＴモジュール１８１８及び１８２０の出力は、ビン１８３４によって示されるように各々のビンごとに（例えば、フィルタバンク手法に基づいて）重みブロック１８２２及び１８２６によって提供された選択された重みをそれぞれ乗じ、加算器ブロック１８３０に従って加算することができる。加算器ブロック１８３０の出力は、干渉キャンセルシステム１８３２への入力として働き、次に、逆ＦＦＴブロック１８３８によって処理される。ＩＦＦＴブロック１８３８の出力は、パイロット及びオーバーヘッドチャネル復調器１８４０への入力として働く。さらに、ＩＣＳ１８３２の出力は、中継器デジタルプロセッサ１８３６に提供することができる。
【００８０】
図１９は、典型的セルラー環境において生じるシナリオ例を描くグラフ作図１９０５を示す。グラフ作図１９０５は、Ｆ１における様々な基地局からの異なるＰＮオフセットの到着角度（ＡｏＡ）及び標準的な２ｄＢｉダイポールによって受信された場合におけるこれらの信号の各々の相対電力を示す（グラフ上に作図されたダイポールアンテナパターン１９１０と角度の関係）。三角形の先端を有する矢印１９２０は、単位がｄＢの、右Ｙ軸において作図されたダイポールによって受信される相対電力である。菱形の先端を有する矢印１９３０は、作図上において示される利得対角度の関係を有するアレイで受信された場合の相対電力である。これは、０乃至１８０が外側を向いており１８０乃至３６０が内側を向いている角度で窓内に中継器が置かれた場合の例である。わかるように、１８０乃至３６０から受信されたＰＮは、推測すると家の反対側に所在する基地局から家を通過してやって来るためはるかに低くなる。この例においては、典型的中継器プロセッサは、動作可能な形で探索し、最初はＰＮ３が最も強力な電力を有していたと決定した。ここから、ＰＮ３のＥｃ／Ｉｏを最適化し、その結果作図されたアレイパターン１９１５が得られる。わかるように、アレイによって受信された選択されたＰＮ３の信号電力は、ダイポールによって受信された場合よりも２つのアンテナの間における利得差だけ大きい。同様に、その他の干渉物（その他のＰＮオフセット）のほとんどの干渉物の電力は低下されて三角形の先端の信号は菱形の先端の信号よりも高くなる。このように、アレイは、ダイポールと比較して希望される信号ＰＮ３を向上させ、望ましくないＰＮを引き下げた。
【００８１】
図２０は、所定のＰＮ  ＡｏＡ１２１０に関するアレイのこの特定のステアリングに関するＥｃ／Ｉｏの向上対角度の関係を描くグラフ作図２００５を示す。わかるように、９０°ＡｏＡでの希望されるＰＮにおけるＥｃ／Ｉｏは３ｄＢよりも優れている。全体的な向上量は、ＰＮのＡｏＡによって大きく影響される可能性がある。
【００８２】
図２１は、図２２、２２Ａ、及び２３において説明されるように１つ以上の複合メトリックと関係させて適応アレイを配備時に実行される典型的処理の流れ図である。例示的実装においては、図２１に描かれる方法は、パイロット汚染管理、ＳＮＲ向上、又は分離拡大を達成させるように典型的アンテナアレイをステアリングする際に用いるための修正メトリックを用いた新しい空間重みの計算を説明することができる。示されるように、処理はブロック２１００において開始し、ブロック２１００において、時系列のキャンセル後受信周波数ビンの組、又は希望される搬送波信号周波数チャネルと関連づけられた時系列のキャンセル後受信信号が、最大相関関係が達成されてＥｃが生成されるようなＰＮ符号位相における関連づけられたパケットＰＮシーケンスとの相関化において用いられる。次に処理はブロック２１０５に進み、ブロック２１０５において、時系列のキャンセル後周波数ビンの組、又は希望される搬送波信号周波数チャネルと関連づけられた時系列のキャンセル後受信信号が、ピーク相関関係から選択された数のサンプルだけ不整合であるＰＮ符号位相における関連づけられたパイロットＰＮシーケンスとの相関化において用いられ、従って平均干渉は例えば信号自体を典型的メトリック内に含めたＩｏとして測定される。次に、処理はブロック２１１０に進み、ブロック２１１０において、計算されたＥｃがＩｏによって除されてＥｃ／Ｉｏ値が得られる。ブロック２１１５において残存漏れ相関化メトリックが計算される。次に、ブロック２１２０においてＮの送信機の送信されたＮの重み付き中継器送信信号のサンプルが用いられ、アレイ信号の平均二乗平均の和によって表すことができる電力アウト値（例えば、Ｐｏｕｔ）が決定される。次に、ブロック２１２５において、Ｍ＝Ｅｃ／Ｉｏ＋Ｐｏｕｔ（最後のブロック）−残存漏れ（最後のブロック）で表されるＥｃ、Ｉｏ、及びＰｏｕｔ値を用いてメトリックが計算される。ここから、処理はブロック２１３０に進み、ブロック２１３０において、新しい重みが生成されるのに応じて１つの適応ループ繰り返しにおいて最急降下適応アルゴリズム（ＬＭＳ、ＲＬＳ、又は摂動）が用いられて空間重み設定が修正されてメトリックが最適化される。次に、処理はブロック２１００に戻りそこから続く。
【００８３】
図２２は、フィードバックキャンセルを行うときにフィルタバンクを適用する際に行われる典型的処理の流れ図である。処理は、ブロック２２０２において開始し、ブロック２２０２において、中継器送信機漏れ信号及び希望される受信信号がＭの受信機において受信される。次に、処理はブロック１２０４に進み、ブロック１２０４において、Ｎｓの数のサンプルが受信機からのＭの数の受信機時間ブロックとして格納される。次に、ブロック２２０６においてゼロパディングが適用され、ＮＦＦＴ−Ｎｓのゼロが受信機からのＮｓの時間サンプルに添付される。次に、ブロック２２０８においてゼロが添付された受信ブロックに対してＮＦＦＴ点ＦＦＴが行われる。ブロック２２１０において、長さがＮＦＦＴの複素空間重みアレイ（例えば、Ｍ、１×ＮＦＦの複素アレイ）がＭの受信機におけるＮＦＦＴのビンに適用される。次に、処理はブロック２２１２に進み、ブロック２２１２において、受信機に関する重み付き受信機周波数ビンが結合されて一組の複合重み付き受信機周波数ビンが生成される。ブロック２２１４において複合重み付き受信機周波数ビンが漏れキャンセルブロックによって並行して処理されてキャンセル後受信機周波数ビンが生成される。次に、処理はブロック２２１６に進み、ブロック２２１６において、並行漏れキャンセルブロックは、時系列の複合重み付き受信機周波数ビン、時系列のキャンセル後受信周波数ビン、及び時系列の遅延された送信機周波数ビンのうちの１つ以上に基づいて個々のフィードバックループに関する更新値を計算することができる。例として、フィードバック値の更新と関連づけられた時定数は、例えばＴｃの時定数を維持することができる。例示的実装においては、並行漏れキャンセルブロックによって計算された更新値の計算は、周波数領域信号に関する個々の対応する周波数ビンからの順次サンプルを用いる単一タップＭＭＳＥ解法を利用することによって行うことができる。処理は、ブロック２２１８による説明に従って図１５Ａに続く。
【００８４】
図２２Ａは、図２２において説明される処理の続きを表す流れ図である。示されるように、処理は図２２のブロック２２１８からブロック２２２０に続き、進行する。ブロック２２２０から、処理はブロック２２２２に続き、ブロック２２２２において、周波数領域ベースバンドフィルタリング及びＡＧＣ係数乗算器ブロックが一組のＮＦＦＴ係数にキャンセル後受信周波数ビンを乗じてフィルタリングされたＡＧＣ出力周波数ビンを生成する。次に、処理はブロック２２２４に進み、ブロック２２２４において、自動利得制御計算ブロックは、相関化前漏れ周波数ビンメトリック、残存漏れ相関周波数ビンメトリック、電力イン周波数ビン、電力アウト周波数ビンメトリック、及び周波数ビンメトリック当たりの分離マージンのうちの１つ以上を利用して各々のビンごとの自動利得制御計算を行い及び無線周波数領域フィルタ応答アレイを利用して更新されたＡＧＣ及びフィルタ係数アレイを提供する。処理はブロック２２２６に進み、ブロック２２２６において、空間重み付けブロックは、並行して動作中の残存漏れ相関化メトリック周波数ビン及び収束時間（例えば、個々のＦＴＴビンの各々においてＴｃの１０倍以上）を利用するＬＭＳアルゴリズム又はその他の適応アルゴリズムに基づいてＭの受信機及びＮの送信機（Ｍ、ＮＦＦＴアレイ、Ｎ、ＮＦＦＴアレイ）に関する新しい受信機及び送信機複素空間重みアレイを計算する。空間重み付けブロックは、ブロック２２２８においてＮ、ＮＦＦＴ複素空間送信機重みアレイをフィルタリングされたＡＧＣ出力周波数ビンのＮのコピーにそれぞれ適用してＮの重み付き送信周波数ビンアレイを生成する。次にブロック２２３０においてＮの重み付き送信周波数ビンアレイに対してＮＦＦＴ点逆ＦＦＴが行われてＮの時間領域系列が生成される。次に、処理はブロック２２３２に進み、ブロック２２３２において、Ｎの時間領域系列の各々に対して重複加算法プロセスが行われて長さＮｓの時間サンプルのＮの送信時系列が生成される。次に、ブロック２２３６においてＮの中継器送信信号がＭの数の受信機において受信され、Ｍの希望される受信信号と合計されたＭの中継器送信漏れ信号が形成される。
【００８５】
図２３は、分離を向上させるための適用されたメトリックを有するアンテナアレイに動作可能な形で結合されたフィードバックキャンセルループを配備する典型的中継器環境によって実行される典型的方法の流れ図である。示されるように、処理はブロック２３００において開始し、ブロック２３００において、中継器送信機漏れ信号及び希望される受信信号がＭの数の受信機において受信される。ここから処理はブロック２３０５に進み、ブロック２３０５において、Ｍの受信機信号がＭ−複素−空間−受信重みをそれぞれ適用している。処理はブロック２３１０に進み、ブロック２３１０において、重み付き受信機信号が結合されて複合重み付き信号が生成される。複合重み付き信号は、ブロック２３１５において漏れキャンセルブロックによって処理されてキャンセル後受信信号が生成される。ブロック２３２０において、漏れキャンセルブロックは、複合重み付き信号、キャンセル後受信信号、及び遅延された送信機信号のうちの１つ以上に基づいてフィードバックループに関する更新値を計算する。例示的実装においては、フィードバック値の更新と関連づけられた時定数は、時定数Ｔｃを有するとみなすことができる。これで、先入れ先出し（ＦＩＦＯ）遅延ラインは、ブロック２３２２において送信漏れ信号を受信信号と無相関化する際に用いるためにキャンセル後漏れ信号に選択された時間遅延を提供することができる。例として、ＦＩＦＯ遅延は、代替として、ＦＩＦＯ遅延は、フィルタ構成要素と、自動利得制御構成要素と、中継処理の際に有益な動作を提供するその他の構成要素とを備える１つ以上の協力する中継器構成要素と協力する典型的フィードバックキャンセルループの動作から導き出された複合遅延として提供することができ、このため、これらの構成要素のうちの１つ以上によって行われて合計された処理は、信号の再送信時点において希望されるアンテナ要素内における送信機漏れ信号と受信信号との間の無相関化を確実に保証するような十分な時間遅延を提供する。一般的には、この複合遅延は、中継中の信号の帯域幅の逆数の倍数である。
【００８６】
ベースバンドフィルタリングブロックは、２３２５においてキャンセル後受信信号をフィルタリングしてフィルタリングされたキャンセル後受信信号を生成する。２３３０において、自動利得制御ブロックは、相関化前漏れメトリック、残存漏れ相関メトリック、電力イン、電力アウト、及び分離マージンのうちの１つ以上を利用してフィルタリングされたキャンセル後受信信号に対する自動利得制御を行って自動利得制御出力信号を生成する。次に、処理は２３４０に進み、２３４０において、空間重み付けブロックは、Ｎの複素空間送信機重みを自動利得制御（ＡＣＧ）出力信号のＮのコピーにそれぞれ適用する。次に、２３４５においてＮの重み付き中継器送信信号がＮの送信機によって送信され、２３５０においてＭの受信機の各々において受信されてＭの中継器送信漏れ信号が形成され、Ｍの希望される受信信号と合計されてフィードバックキャンセル動作が提供される。
【００８７】
図２４は、中継器環境におけるフィードバックループキャンセルを容易にするシステム２４００を示す。システムは、利用可能な相関化メトリックを用いてＥｃ値を生成するためのモジュール２４１０と、Ｉｏを測定するためのモジュール２４２０と、Ｅｃ及びＩｏを処理してＥｃ／Ｉｏを生成するためのモジュール２４３０と、残存漏れメトリックを計算するためのモジュール２４４０と、アレイの平均二乗平均の和を決定するためのモジュール２４５０（Ｐｏｕｔ）と、方程式Ｍ＝Ｅｃ／Ｉｏ＋Ｐｏｕｔ（最後のブロック）によって決定されるメトリックを計算するためのモジュール２４６０と、最急降下適応アルゴリズムを適用して空間重み設定を修正して複合メトリックを最適化するためのモジュール２４７０と、を含む。
【００８８】
ここにおいて説明されるシステム及び方法の知識を効率的に表すためのシステム及び方法は、同じプロバイダにおけるメモリ内データを解決することに関して適用することもできる。該状況において、メモリ内データは、物理的記憶装置によってバックアップすることができず、例えばノードを同期化するためにＣＰＵにおけるグラフソルバーにおいて用いることができる。ここにおいて説明されるシステム及び方法は、シーングラフに関して適用することもでき、その理由は、特にこれらのシーングラフは多コアアーキテクチャにおいてより分散され、計算は体積テキスチャ等のメモリ内データ構造に直接書き込まれるためである。
【００８９】
ここにおいて説明されるシステム及び方法を実装する複数の方法、例えば、アプリケーション及びサービスがここにおいて説明されるシステム及び方法に従って知識を表現及び交換するためのシステム及び方法を用いるのを可能にする適切なＡＰＩ、ツールキット、ドライバコード、オペレーティングシステム、制御、スタンドアロン又はダウンロード可能ソフトウェアオブジェクト、等が存在する。ここにおいて説明されるシステム及び方法は、ＡＰＩ（又はその他のソフトウェアオブジェクト）の観点から、及びここにおいて説明されるシステム及び方法に従って知識交換を行うソフトウェア又はハードウェアオブジェクトの観点から、ここにおいて説明されるシステム及び方法を用いることを企図する。従って、ここにおいて説明されるシステム及び方法の様々な実装は、全部がハードウェア内に、一部分がハードウェア内で一部分がソフトウェア内に、及びソフトウェア内に存在する側面を有することができる。
【００９０】
ここにおいて用いられる「典型的な」という表現は、1つの例、事例、又は実例を示すことを目的とするものである。疑念を回避するため、ここにおいて開示される主題は、該例に限定されない。さらに、ここにおいて“典型的な”として説明されるいずれの側面又は設計も、その他の側面又は設計よりも好ましい又は有利であるとは必ずしも解釈すべきではなく、さらに、当業者に知られている同等の典型的構造及び技法を除外することを意味しない。さらに、“含む”、“有する”、“内蔵する”、及びその他の類似の表現は、発明を実施するための形態又は請求項のいずれかにおいて用いられる限りにおいて、疑念を回避することを目的として、追加の又はその他の要素を除外することなしに、開放された移行語としての表現“備える”と同様の形での包含性を有することが意図される。
【００９１】
上述されるように、ここにおいて説明されるシステム及び方法の典型的実施形態は、様々な計算デバイス及びネットワークアーキテクチャと関係させて説明されている一方で、根本的な概念は、他の計算デバイス又はシステムとデータを同期化させることが望ましいあらゆる計算デバイス又はシステムに対して当てはめることができる。例えば、ここにおいて説明されるシステム及び方法の同期化プロセスは、計算デバイスにおける別個のオブジェクトとして、他のオブジェクトの一部として、再使用可能な制御として、サーバーからのダウンロード可能なオブジェクトとして、デバイス又はオブジェクトとネットワークとの間の“仲介者”として、分散されたオブジェクトとして、ハードウェアとして、メモリにおいて、上記のいずれかの組み合わせ、等として提供される、該計算デバイスのオペレーティングシステムに対して適用することができる。
【００９２】
上述されるように、ここにおいて説明される様々な技法は、ハードウェア又はソフトウェアと関係させて、又は、該当する場合は両方の組み合わせと関係させて実装することができる。ここにおいて用いられる“構成要素”、“システム”、等の用語は、ハードウェア、ハードウェアとソフトウェアの組み合わせ、ソフトウェア、実行中のソフトウェアのいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。一例として、コンピュータにおいて実行中のアプリケーション及びそのコンピュータの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。
【００９３】
従って、ここにおいて説明されるシステム及び方法の方法及び装置、又はその一定の側面又は一部分、は、有形の媒体、例えば、フロッピーディスケット、ＣＤ−ＲＯＭ、ハードドライブ、又はその他の機械によって読み取り可能な記憶媒体、において具現化されたプログラムコード（すなわち、命令）の形態をとることができ、プログラムコードが機械、例えばコンピュータ、内にローディングされて該機械によって実行されるときには、該機械は、ここにおいて説明されるシステム及び方法を実践するための装置になる。プログラミング可能なコンピュータにおけるプログラムコードの実行の場合は、計算デバイスは、一般的には、プロセッサと、プロセッサによって読み取り可能な記憶媒体（揮発性及び非揮発性メモリ及び／又は記憶要素を含む）と、少なくとも１つの入力デバイスと、少なくとも１つの出力デバイスと、を含む。例えばデータ処理ＡＰＩ、再使用可能な制御、等を用いてここにおいて説明されるシステム及び方法の同期化サービス及び／又はプロセスを実装又は利用することができる１つ以上のプログラムは、好ましいことに、コンピュータシステムと通信するための高位の手順指向又はオブジェクト指向のプログラミング言語で実装される。しかしながら、これらのプログラムは、希望される場合はアセンブリ言語又は機械語で実装することができる。いずれの場合においても、言語は、コンパイル又は解釈された言語であることができ、ハードウェア実装と組み合わせることができる。
【００９４】
ここにおいて説明されるシステム及び方法の方法及び装置は、何らかの通信媒体を通じて、例えば電気的配線又はケーブルを通じて、光ファイバを通じて、又はその他の送信形態を介して送信されるプログラムコードの形態で具現化された通信を介して実践することができ、ここで、プログラムコードが機械、例えばＥＰＲＯＭ、ゲートアレイ、プログラマブルロジックデバイス（ＰＬＤ）、クライアントコンピュータ、等によって受け取られてローディングされて実行されるときには、該機械は、ここにおいて説明されるシステム及び方法を実践するための装置になる。汎用プロセッサに実装されるときには、プログラムコードは、プロセッサと結合し、ここにおいて説明されるシステム及び方法の機能を呼び出すために動作する一意の装置を提供する。さらに、ここにおいて説明されるシステム及び方法と関係させて用いられる記憶技法は、不変的に、ハードウェアとソフトウェアの組み合わせであることができる。
【００９５】
さらに、開示される主題は、コンピュータ又はプロセッサに基づくデバイスがここにおいて詳述される側面を実装するのを制御するためのソフトウェア、ファームウェア、ハードウェア、又はその組み合わせを製造するための標準的なプログラミング及び／又はエンジニアリング技法を用いる製造システム、製造方法、製造装置、又は製造品として実装することができる。ここにおいて用いられる“製造品”（又は代替としての“コンピュータプログラム製品”）という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピーディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、カード、スティック）と、を含むことができるが、これらに限定されない。さらに、音声メールを送信及び受信する際又はインターネット又はローカルエリアネットワーク（ＬＡＮ）等のネットワークにアクセスする際に用いられるようなコンピュータによって読み取り可能な電子データを搬送するために搬送波を採用できることが知られている。
【００９６】
上記のシステムは、幾つかの構成要素間における相互関係に関して説明されている。該システム及び構成要素は、それらの構成要素又は指定された副構成要素、指定された構成要素又は副構成要素の一部、及び／又は追加の構成要素を含むことができ、及び上記の様々な置換及び組み合わせによることができることを明確に理解することができる。副構成要素は、親構成要素（階層）内に含めるのではなくその他の構成要素に通信可能な形で結合される構成要素として実装することも可能である。さらに、１つ以上の構成要素を結合して単一の構成要素にすることで総合的な機能を提供するか又は幾つかの別個の副構成要素に分割することができ、及び統合された機能を提供するために該副構成要素に通信可能な形で結合するための１つ以上の中間層、例えば管理層、を提供できることが注目されるべきである。ここにおいて説明される構成要素は、ここにおいては具体的に説明されていないが当業者によって一般的に知られている１つ以上のその他の構成要素と相互に関係させることも可能である。
【００９７】
上述される典型的システムに関して、開示される主題に従って実装することができる方法が、図６の流れ図を参照することによってより良く理解されるであろう。説明を単純化する目的上、方法は、一連のブロックとして示されて説明されている一方で、幾つかのブロックは描かれてここにおいて説明されるのとは異なる順序で及び／又はその他のブロックと同時並行して生じることができるため、請求される主題はブロックの順序によって制限されないことが理解及び評価されるべきである。順次でない、又は分岐された流れが流れ図を介して示される場合は、同じ又は同様の結果を達成する様々なその他の分岐、流れ経路、及びブロックの順序を実装できることが明確に理解されるべきである。さらに、すべての例示されるブロックが以下において説明される方法を実装するために要求されるわけではない。
【００９８】
さらに、明確に理解されるように、上記の開示されるシステム及び下記の方法の様々な部分は、人工知能又は知識又は規則に基づく構成要素、副構成要素、プロセス、手段、方法、又は機構（例えば、サポートベクトルマシン、ニューラルネットワーク、エキスパートシステム、ベイジアン信念ネットワーク、ファジーロジック、データ融合エンジン、分類器、等）を含むか又はこれらから成ることができる。該構成要素は、特に、一定の機構又はそれによって実行されるプロセスを自動化してシステム及び方法の一部分を効率的及びインテリジェントであることに加えてより適応可能であるようにすることができる。
【００９９】
ここにおいて説明されるシステム及び方法は、様々な図の好まれる実施形態と関係させて説明されている一方で、逸脱することなしにその他の同様の実施形態を用いることができ又はここにおいて説明されるシステム及び方法の同じ機能を実行するための修正又は追加を説明される実施形態に対して行うことができる。例えば、ここにおいて説明されるシステム及び方法の典型的ネットワーク環境は、ネットワーク化された環境、例えばピア・ツー・ピアネットワーク化された環境、に関して説明される一方で、ここにおいて説明されるシステム及び方法はそれには限定されないこと、この出願において説明される方法は、有線であるか又は無線であるかにかかわらずあらゆる計算デバイス又は環境、例えばゲームコンソール、ハンドヘルドコンピュータ、ポータブルコンピュータ、等に対して適用できること、及び通信ネットワークを介して接続されてネットワークを通じて相互に関係しているあらゆる数の該計算デバイスに対して適用できることを当業者は認識するであろう。さらに、特に無線ネットワーク化されたデバイス数が急増するのに従ってハンドヘルドデバイスオペレーティングシステム及びその他の特定用途向けオペレーティングシステムを含む様々なコンピュータプラットフォームが企図されることが強調されるべきである。
【０１００】
典型的実施形態は、特定のプログラミング言語構造に関してここにおいて説明されるシステム及び方法を利用することに関するものである一方で、ここにおいて説明されるシステム及び方法はそれには限定されず、ここにおいて説明されるシステム及び方法に従って一組のノードに関する知識を表現及び交換するための方法を提供するためにあらゆる言語で実装することができる。さらに、ここにおいて説明されるシステム及び方法は、複数の処理チップ又はデバイスにおいて又は複数の処理チップ又はデバイス全体にわたって実装することができ、格納は、同様に複数のデバイスにわたることができる。従って、ここにおいて説明されるシステム及び方法は、単一の実施形態に限定されるべきでなく、むしろ添付される請求項に従った広さ及び範囲において解釈されるべきである。
【図１】
2010520720.tif 000002
【図２】
2010520720.tif 000003
【図３】
2010520720.tif 000004
【図４】
2010520720.tif 000005
【図５】
2010520720.tif 000006
【図６】
2010520720.tif 000007
【図７】
2010520720.tif 000008
【図８】
2010520720.tif 000009
【図９】
2010520720.tif 000010
【図１０】
2010520720.tif 000011
【図１１】
2010520720.tif 000012
【図１２】
2010520720.tif 000013
【図１３】
2010520720.tif 000014
【図１４】
2010520720.tif 000015
【図１５】
2010520720.tif 000016
【図１６】
2010520720.tif 000017
【図１７】
2010520720.tif 000018
【図１８】
2010520720.tif 000019
【図１９】
2010520720.tif 000020
【図２０】
2010520720.tif 000021
【図２１】
2010520720.tif 000022
【図２２】
2010520720.tif 000023
【図２２Ａ】
2010520720.tif 000024
【図２３】
2010520720.tif 000025
【図２４】
2010520720.tif 000026